(57)【特許請求の範囲】
【請求項１】
可搬式のマグネットスクリーン装置であって、
投影面と該投影面に対向するマグネット面とを備えたスクリーンシート、および
スクリーンシートを巻き取るためのロール部材
を有して成り、
非使用時ではマグネット面が投影面に対して相対的に内側となるようにスクリーンシートがロール部材に巻き取られており、
巻き出される又は巻き取られるスクリーンシートと接するように設けられた長尺部材、並びに、スクリーンシート、ロール部材および長尺部材を収納するケーシングを更に有して成り、スクリーンシートの巻き出し時又は巻き取り時において長尺部材が投影面と直接的に接し、ケーシングはスクリーンシートの巻き出しおよび巻き取りのための開口部を有し、および長尺部材が、該開口部に位置付けられており、かつ、マグネットスクリーン装置が設けられる設置面に対して相対的に近い側に位置付けられるロール部材の下側ロール胴部分に隣接して設けられていることを特徴とする、マグネットスクリーン装置。
【請求項２】
マグネットスクリーン装置が設けられる設置面に相対的に近く位置付けられる近位ロール側部と、該近位ロール側部に対向して設置面に相対的に遠く位置付けられる遠位ロール側部とを有するロール部材について、遠位ロール側部からスクリーンシートが巻き出し又は巻き取りされることを特徴とする、請求項１に記載のマグネットスクリーン装置。
【請求項３】
設置面に設けたマグネットスクリーン装置につき下側に設置面が位置する一方、上側にロール部材が位置するように方向を規定した場合、ロール部材におけるスクリーンシートの巻き出しポイント又は巻き取りポイントがロール部材の上側半分に位置付けられることを特徴とする、請求項１または２に記載のマグネットスクリーン装置。
【請求項４】
長尺部材が、巻き出される又は巻き取られるスクリーンシートとの摺動接触に起因して回転可能となっていることを特徴とする、請求項１〜３のいずれかに記載のマグネットスクリーン装置。
【請求項５】
長尺部材が中空構造を有していることを特徴とする、請求項１〜４のいずれかに記載のマグネットスクリーン装置。
【請求項６】
スクリーンシートが樹脂層とマグネット層とを含んで構成され、
非使用時ではマグネット層が樹脂層に対して相対的に内側となるようにスクリーンシートがロール部材に巻き取られていることを特徴とする、請求項１〜５のいずれかに記載のマグネットスクリーン装置。
【請求項７】
ロール部材がスプリングロールであることを特徴とする、請求項１〜６のいずれかに記載のマグネットスクリーン装置。
【発明の詳細な説明】
【技術分野】
【０００１】
本発明は、スクリーン装置に関する。より詳細には、本発明は、マグネットによって映写用スクリーンシートを設置面に展張保持するマグネットスクリーン装置に関する。
【背景技術】
【０００２】
従来より、会議、学会、講演会および展示会等のプレゼンテーション用にスクリーン装置が用いられている。また、近年では家庭内においてもホームシアター等の映像視聴用にスクリーン装置が用いられている。スクリーン装置は、プロジェクター（即ち、投影機又は投射型表示装置）と共に用いられるのが一般的であり、プロジェクターから投影される像をスクリーンシート上に映し出して使用される。
【０００３】
スクリーン装置としては、マグネット式なるものが存在し、マグネット手段によってスクリーンシートを展張保持する装置として実用化されている。かかるマグネットスクリーン装置の使用に際しては、巻き出されたスクリーンシートがマグネットの磁力によって壁面などの設置面に保持される。
【先行技術文献】
【特許文献】
【０００４】
【特許文献１】特開２０１１−１７９５７号公報
【特許文献２】特開２０１４−０３５５１号公報
【発明の概要】
【発明が解決しようとする課題】
【０００５】
本願発明者らは、鋭意検討の末、マグネットスクリーン装置について更なる改善点があることを今回見出した。具体的には、使用に際して巻き出されたスクリーンシートを設置面に展張保持した際に“カール”と呼ばれる現象がシートに生じ、かかるカールによってプロジェクターから投影される像を所望に映し出すことができないことが分かった。特に図１５に示すように、垂直平面に対して展張保持されたスクリーンシートの長手端部においては手前側（“プロジェクター側”）に湾曲した部分（“カール”）が発生し、投影される像がシート端部で局所的に歪んでしまう。
【０００６】
特定の理論に拘束されるわけではないが、“カール”は、非使用時のスクリーンシートの巻回形態が“くせ”として残り、巻き出し後も依然として反映されることが要因として考えられる。つまり、ロール部材に巻かれることで長期保持されたスクリーンシートは、使用に際して巻き出され延ばされたとしても、ロール部材に巻かれていた時の形態を依然取り易い傾向を有し、それゆえ、展張保持されたシートの長手端部が手前のプロジェクター側へと湾曲するものと考えられる（特に、スクリーンシートの長手端部の中央部分ではカールの程度がより大きくなる傾向がある。また、水平方向に沿ってスクリーンシートを横に引き出した場合では、２つの対向する長手端部のうち垂直方向上側に位置する端部で発生するカールが、その自重に起因して、下側端部のカールよりも大きくなり得る）。
【０００７】
このような“カール”は、短焦点で投影されるプロジェクター（即ち、「短焦プロジェクター」または「超短焦プロジェクター」）が使用される場合に特に不都合となり得、“カール”の存在によって映し出される像に“影部分”が生じてしまう虞がある。
【０００８】
本発明は、かかる事情に鑑みて為されたものである。即ち、本発明の主たる課題は、プロジェクターから投影される像をシート端部においても所望に映し出すことが可能なマグネットスクリーン装置を提供することである。
【課題を解決するための手段】
【０００９】
上記目的を達成するため、本発明では、
投影面と当該投影面に対向するマグネット面とを備えたスクリーンシート、および
スクリーンシートを巻き取るためのロール部材
を有して成り、
非使用時ではマグネット面が投影面に対して相対的に内側となるようにスクリーンシートがロール部材に巻き取られていることを特徴とするマグネットスクリーン装置が提供される。
【００１０】
ある好適な態様では、「マグネットスクリーン装置が設けられる設置面に相対的に近く位置付けられる近位ロール側部」と「近位ロール側部に対向して設置面に相対的に遠く位置付けられる遠位ロール側部」とを有するロール部材につき、遠位ロール側部からスクリーンシートが巻き出し又は巻き取りされる。つまり、スクリーンシートの巻き出しに際しては「設置面に相対的に遠く位置付けられる遠位ロール側部」からシートが離れるようにスクリーンシートの展開がなされると共に、スクリーンシートの巻き取りに際しては「設置面に相対的に遠く位置付けられる遠位ロール側部」へとシートが送られるようにスクリーンシートの巻回がなされる。
【００１１】
別のある好適な態様では、設置面に設けたマグネットスクリーン装置につき下側に設置面が位置する一方、上側にロール部材が位置するように方向を規定した場合、ロール部材におけるスクリーンシートの巻き出しポイント又は巻き取りポイントがロール部材の上側半分に位置付けられる。つまり、設置面に設けたマグネットスクリーン装置につき下側に設置面が位置付けられ、上側にロール部材が位置付けられたと捉えた場合、ロール部材（より具体的には、ロール部材の胴部）の上側半部分にスクリーンシート巻き出しポイント又はスクリーンシート巻き取りポイントが位置する。
【００１２】
別のある好適な態様では、巻き出される又は巻き取られるスクリーンシートと接するように設けられた長尺部材を更に有して成る。かかる場合、スクリーンシートの巻き出し時又は巻き取り時において長尺部材が投影面と直接的に接することが好ましい。特に、長尺部材が、巻き出される又は巻き取られるスクリーンシートとの摺動接触に起因して回転可能になっていることが好ましい。また、長尺部材は中空構造を有していることが好ましい。
【００１３】
別のある好適な態様では、マグネットスクリーン装置は、スクリーンシート、ロール部材および長尺部材を収納するケーシングを更に有して成る。かかる場合、スクリーンシートの巻き出し及び巻き取りのための開口部をケーシングが有し、そのケーシング開口部に長尺部材が位置付けられていることが好ましい。つまり、ケーシングのシート巻出し・巻取り口またはその近傍に長尺部材が位置付けられることが好ましい。
【００１４】
別のある好適な態様では、スクリーンシートが樹脂層とマグネット層とを含んで構成されている。つまり、マグネット面が供されるべく層状の磁石材がスクリーンシートに設けられている。かかる態様では、マグネット層が樹脂層に対して相対的に内側となるようにスクリーンシートがロール部材に巻き取られている（非使用時）。
【００１５】
別のある好適な態様では、マグネットスクリーン装置が可搬式となっている。つまり、マグネットスクリーン装置自体が全体として持ち運びできるようになっている。
【００１６】
別のある好適な態様では、ロール部材がスプリングロールとなっている。つまり、ロール部材は、スクリーンシートを巻き取る方向に回転付勢するバネ部材を備えている。
【発明の効果】
【００１７】
本発明に従えば、使用に際して巻き出されたスクリーンシートを“カール”の発生なく設置面に保持することができ（図１４参照）、プロジェクターから投影される像をシート端部にまで所望に映し出すことができる。つまり、スクリーンシートの端部で像が歪んだり、影が生じたりせず好適にプロジェクター投影できる。
【００１８】
かかる本発明は、ロール部材に巻回状態で収納されるスクリーンシート（即ち、ロール部材に巻かれていた時の形態を“くせ”として有するスクリーンシート）を逆転の発想で積極的に利用し、“カール”の発生を抑えている。
【００１９】
本発明のマグネットスクリーン装置では「非使用時にマグネット面が投影面に対して相対的に内側となるようにスクリーンシートがロール部材に巻き取られている」ので、スクリーンシートを巻き出した際、そのシート長手端部では局所的に湾曲しようとする力が働くものの、その湾曲方向は設置面側（“手前側”と反対の側）となっており、スクリーンシートが設置面にむしろ貼り付くように作用する。それゆえ、ロール部材に巻かれていた時の“くせ”をスクリーンシートが有する場合であったとしても、それは設置面に貼り付くように好適に作用するので、スクリーンシートを“カール”の発生なく展張保持できる。つまり、本発明のマグネットスクリーン装置は、図１４に示すように、使用時においてシート全体が端部（特に長手端部）にまでピンと張った形態で設置面にスクリーンシートを展張保持することができる。
【図面の簡単な説明】
【００２０】
【図１】本発明に係るマグネットスクリーン装置の概略構成（本発明の概念）を模式的に示した図
【図２】設置面（特に垂直平面）に設けられた本発明のマグネットスクリーン装置を模式的に示した図
【図３】長尺部材を備えた本発明のマグネットスクリーン装置の構成を模式的に示した図
【図４】「本発明のスクリーン装置構成」と「従来のスクリーン装置構成」との違いを示した模式図
【図５】「本発明のスクリーン装置構成」と「従来のスクリーン装置構成」との違いを示した模式図
【図６】本発明のスクリーン装置構成（「近位ロール側部」および「遠位ロール側部」）を模式的に示した図。
【図７】本発明のスクリーン装置構成（「スクリーンシートの巻き出し・巻き取りポイント」）を模式的に示した図。
【図８】本発明の一態様に係るマグネットスクリーン装置の外観を示した斜視図
【図９】本発明の一態様に係るマグネットスクリーン装置の構造を示した透過斜視図および断面図
【図１０】本発明の一態様に係るマグネットスクリーン装置の構造を示した展開図
【図１１】本発明の一態様に係るマグネットスクリーン装置のシート展開状態を示した平面図
【図１２】本発明の一態様に係るマグネットスクリーン装置の使用態様（スクリーンシートを直接的に巻き出す使用態様）を示した模式図
【図１３】本発明の一態様に係るマグネットスクリーン装置の使用態様（ケーシングをスライド移動させる使用態様）を示した模式図
【図１４】本発明の一態様に係るマグネットスクリーン装置の使用時の態様（シート展開保持状態）を示した斜視図
【図１５】従来技術のマグネットスクリーン装置の使用時の態様（シート展開保持状態）を示した斜視図
【発明を実施するための形態】
【００２１】
以下にて、本発明の一態様に係るマグネットスクリーン装置について図面を参照しながら説明する。図面に示す各種の要素は、本発明の理解のために模式的に示したにすぎず、寸法比や外観などは実物と異なり得ることに留意されたい。
【００２２】
（スクリーン装置構成）
図１に、本発明のマグネットスクリーン装置１００の構成概略を模式的に示す。本発明のマグネットスクリーン装置１００は、スクリーンシート１０およびロール部材２０を少なくとも有して成る。
【００２３】
スクリーンシート１０は、プロジェクターから発された像を映し出すためのシートである。“シート”ゆえ、可撓性を有しており、特に巻回できる程度の可撓性を有している。スクリーンシート１０の形状は全体として矩形状（特に帯形状）となっており、非使用時ではスクリーンシートが巻回状態で保持される。
【００２４】
スクリーンシート１０は、投影面およびマグネット面を有している。つまり、スクリーンシート１０の対向する２つの主面が投影面およびマグネット面となっている。投影面は、プロジェクターから投影される像が映し出されるシート面に相当する一方、マグネット面は、使用時に垂直面などの壁面に接するシート面に相当する。使用時の態様に鑑みれば、投影面が“表面”に相当し、マグネット面が“裏面”に相当する。
【００２５】
投影面およびマグネット面を有するスクリーンシート１０は、例えば、樹脂層１２とマグネット層１４とから少なくとも構成されていてよい（図１の断面図参照）。かかる場合、“表面側”に設けられた樹脂層１２が投影面を成し、“裏面側”に設けられたマグネット層１４がマグネット面を成す。樹脂層１２は、常套的なスクリーンシートの樹脂材から成るものであってよい。一方、マグネット層１４は、磁力を有する層であり、例えば樹脂材および／またはゴム材などに常套的なマグネット粉などを含んで成る層であってよい。
【００２６】
ロール部材２０は、スクリーンシート１０の巻き芯として機能する。つまり、ロール部材２０は、マグネットスクリーン装置１００の非使用時にてスクリーンシート１０を巻回状態で保持するための部材に相当する。スクリーンシート１０の一方の短手端部がロール部材２０の胴部に取り付けられており、かかる取り付け部分を起点にしてスクリーンシート１０がロール部材に対して巻回される。ロール部材２０の全体形状は、特に制限はないものの、例えば柱形状である（つまり、回転軸に沿って長手に延在するような円柱形状であってよい）。
【００２７】
例えば、ロール部材２０はスクリーンシート１０を巻き取る方向に回転付勢するバネ部材を備えている。換言すれば、本発明においてロール部材２０はスプリングロールであってよい。スプリングロールの場合、バネ部材の付勢力（即ち、バネ力によってもたらされるロール部材の回転力）に起因してスクリーンシート１０がロール部材２０に巻回状態で保持されており、使用に際してはスクリーンシート１０がバネ部材の付勢力に抗して巻き出される。例えば、スプリングロールのバネ部材はコイルスプリングであってよく、好ましくは細径のバネ鋼線材を螺旋状に多数回巻いて成形した長寸のコイルスプリングであってよい。
【００２８】
本発明のマグネットスクリーン装置１００は、非使用時のスクリーンシートの巻回態様およびそれに関連したスクリーンシートの巻き出し・巻き取りに特徴を有している。図１に示すように、マグネットスクリーン装置１００の非使用時ではマグネット面が投影面に対して相対的に内側となるようにスクリーンシート１０がロール部材２０に巻き取られている。つまり、スクリーンシート１０がロール部材に対して巻回されている態様では、マグネット面がロール部材２０に対して相対的に近位に位置付けられる一方、投影面がロール部材２０に対して相対的に遠位に位置付けられる。尚、投影面を成す層が樹脂層１２であって、マグネット面を成す層がマグネット層１４である場合、マグネット層１４が樹脂層１２に対して相対的に内側となるようにスクリーンシート１０がロール部材２０に巻き取られている。
【００２９】
上記の如くスクリーンシート１０がロール部材２０に巻き取られたマグネットスクリーン装置１００では、使用時にてシート全体を端部（特に長手端部）にまでピンと張った状態で設置面に展張保持できる（図２および図１４参照）。ロール部材２０から巻き出されたスクリーンシート１０はロール部材に巻かれていた時の形態を“くせ”として有し得るところ、本発明はかかる“くせ”をむしろ積極的に利用している。具体的には、本発明のマグネットスクリーン装置は「マグネット面が投影面に対して相対的に内側となるようにスクリーンシート１０がロール部材２０に巻き取られていること」に起因して、シートの長手端部の“くせ”が設置面側に向かうようになっており、かかる長手端部が設置面に積極的に貼り付くように作用する。よって、使用時においてシート全体が端部（特に長手端部）にまでピンと張った状態でスクリーンシートを展張保持できる。
【００３０】
図３に示すように、本発明に係るマグネットスクリーン装置１００は「スクリーンシート１０と接するように設けられた長尺部材３０」を更に有して成ることが好ましい。つまり、使用に際して巻き出される又は巻き取られるスクリーンシート１０と接する長尺部材３０が更に設けられていることが好ましい。図３に示すように、長尺部材３０は、ロール部材２０の近傍に位置しており（例えば、長尺部材とロール部材との離隔距離が約１ｃｍ〜約１５ｃｍ程度）、巻き出される又は巻き取られるスクリーンシート１０を局所的に抑え込むようになっている。特に、投影面側（即ち、シートの樹脂層側）からスクリーンシート１０を局所的に抑え込むことができるように、ロール部材２０に隣接して長尺部材３０が設けられていることが好ましい。尚、図３、図４および図６に示す態様から分かるように、設置平面に対して平行な面でロール部材を半分割した場合に設置平面に対してより近い側に位置付けられる半分割ロール部分（図６に示す如くの“下側ロール胴部分”）に隣接して長尺部材３０が設けられていることがより好ましい。換言すれば、設置平面に対して平行な面でロール部材を半分割する面に対してより設置平面側に長尺部材３０が位置付けられていることが好ましい。
【００３１】
（本発明の特徴的構成について）
以下では、本発明の特徴的構成について詳述する。本発明に係るマグネットスクリーン装置１００は、上述したように、マグネット面が投影面に対して相対的に内側となるようにスクリーンシート１０がロール部材２０に巻き取られていることを特徴とする。投影面を成す層が樹脂層１２であって、マグネット面を成す層がマグネット層１４である場合、マグネット層１４が樹脂層１２に対して相対的に内側となるようにスクリーンシート１０がロール部材２０に巻き取られている。
【００３２】
「本発明に係るスクリーン装置構成」と「従来におけるスクリーン装置構成」との違いを図４および図５を参照して説明する。図４（Ａ）・図５（Ａ）は、従来のマグネットスクリーン装置についてスクリーンシートを一部巻き出した状態を模式的断面として示す一方、図４（Ｂ）・図５（Ｂ）は、本発明のマグネットスクリーン装置におけるスクリーンシートを同様に示す。
【００３３】
図４（Ａ）・図５（Ａ）に示されるように、従来のマグネットスクリーン装置のシート巻回部では、投影面がマグネット面に対して相対的に内側となるようにスクリーンシートが収納されており、使用に際しては壁面の近傍からスクリーンシートが巻き出される。これに対して、図４（Ｂ）・図５（Ｂ）に示すように、本発明のマグネットスクリーン装置のシート巻回部では、マグネット面が投影面に対して相対的に内側となるようにスクリーンシートが収納されており、使用に際しては壁面からより離れた位置（従来技術と比べてより離れた位置）からスクリーンシートが巻き出される。このように、シート巻回部におけるスクリーンシートの巻き方は、従来と本発明とで“逆”になっている。
【００３４】
従来のマグネットスクリーン装置では、巻かれていた時の“くせ”をスクリーンシートが有し得るので、展開されたスクリーンシートの長手端部では“カール”が発生し得る。特に図４（Ａ）に示すように、従来のマグネットスクリーン装置では、壁面（垂直平面）から離れる方向の力がシート長手端部に生じる。一方、本発明のマグネットスクリーン装置では、巻かれていた時の“くせ”をスクリーンシートが同様に有し得るものの、展開されたスクリーンシートの長手端部に働く力は壁面（垂直平面）に向かう方向（壁面を押圧するような方向）となる（特に図４（Ｂ）参照）。従って、本発明では、スクリーンシートの長手端部が設置面にむしろ貼り付くように作用し、“カール”の発生なくシートを展張保持できる。換言すれば、本発明では、シート全体が端部（特に長手端部）にまでピンときれいに張った形態でスクリーンシートを設置平面に保持できる。
【００３５】
本発明に係るスクリーン装置構成について更に詳述する。本発明のマグネットスクリーン装置は、ロール部材の“設置面遠位側”からスクリーンシートの巻出し又は巻取りがなされる。具体的には、図６に示すように、「マグネットスクリーン装置の設置面に相対的に近く位置付けられる近位ロール側部」と「近位ロール側部に対向して設置面に相対的に遠く位置付けられる遠位ロール側部」とを有するロール部材につき、遠位ロール側部からスクリーンシートが巻き出し又は巻き取りされる。ここでいう「近位ロール側部」とは、設置平面に対して平行な面でロール部材を半分割した場合に、当該設置平面に対してより近い側に位置付けられる半分割ロール部分（図６に示す如くの“下側ロール胴部分”）を指している。一方、「遠位ロール側部」とは、同様に設置平面に対して平行な面でロール部材を半分割した場合に、当該設置平面に対してより遠い側に位置付けられる半分割ロール部分（図６に示す如くの“上側ロール胴部分”）を指している。
【００３６】
本発明のマグネットスクリーン装置では、このようにロール部材の“設置面遠位側”からスクリーンシートの巻出し又は巻取りがなされるのに対して、従来のマグネットスクリーン装置では、ロール部材の“設置面近位側”からスクリーンシートの巻出し又は巻取りがなされる。図４および図５には、かかる相違点が端的に表されている。
【００３７】
また、別の切り口で捉えると、本発明のマグネットスクリーン装置は、“表側”（即ち、“スクリーン使用者側”／“スクリーン視聴者側”）に巻出しポイント又は巻取りポイントが存在する。具体的には、図７に示すように、設置面に設けたマグネットスクリーン装置につき下側に設置面が位置する一方、上側にロール部材が位置するものとして規定した場合、ロール部材におけるスクリーンシート巻き出しポイント又はスクリーンシート巻き取りポイントがロール部材の上側半分に位置付けられる。ここでいう「巻き出しポイント」とは、スクリーン装置（図３に示すような長尺部材３０を特に設けていないスクリーン装置１００）を使用する際、巻き出されるスクリーンシートとロール部材との離別箇所を指している。一方、「巻き取りポイント」とは、スクリーン装置（図３に示すような長尺部材３０を特に設けていないスクリーン装置１００）の使用後において、巻き取られていくスクリーンシートとロール部材とが互いに接触する箇所を指している。
【００３８】
本発明のマグネットスクリーン装置では、このように“装置表側”（即ち、“スクリーン使用者側”／“スクリーン視聴者側”）に巻出しポイント又は巻取りポイントが存在するのに対して、従来のマグネットスクリーン装置では、“装置裏側”（即ち、“設置面側”）に巻出しポイント又は巻取りポイントが存在する。
【００３９】
ここで従来技術における当業者の認識について説明しておく。従来においては、“シート表面”となる投影面は映像・画像が表示される面に相当するゆえ、なるたけ損傷なくきれいに保存しておく必要があるとの先入観があった。つまり、従来において、外部に露出しない内側が投影面となるようにスクリーンシートを巻回して収納するのが当然であるとの認識が当業者にあった。この点につき、本願発明者らが鋭意検討した結果、かかる投影面が仮に外側になるように巻回収納したとしても、投影面を特に損傷なく保持することができ、そのうえで、シート長手端部の“カール”を効果的に防止できることを見出した。
【００４０】
また、本発明においては、ロール部材に巻かれて収納されていたスクリーンシート（即ち、ロール部材に巻かれていた時の形態を“くせ”として有するスクリーンシート）を無くすのではなく、むしろ“くせ”があることを前提にそれを逆転の発想で積極的に利用し、“カール”の発生を抑えている。従来では、ロール部材に巻かれていた時の“くせ”を減らすべくスプリングロールのバネ力（巻き取る方向に付勢されたロール回転力）を減じることを考慮する一方、かかるバネ力を必要以上に低下させると、使用後のスクリーンシートの巻き取りがスムーズにいかない虞があった。それゆえ、従来のマグネットスクリーン装置では“くせの低減”と“好適なシート巻取り力”との間で調整を図る必要があった。しかしながら、かかる調整は現実的に困難であり、どちらかといえば“好適なシート巻取り力”の方に重きを置く傾向があった。つまり、従来のマグネットスクリーン装置では“くせの低減”を効果的に図ることをせず、“カール”が発生し易い傾向であった。この点、本発明では、“くせの低減”と“好適なシート巻取り力”との間で特段の調整を図ることは必要なく、“好適なシート巻取り力”に重きを置いたとしても特段の不都合が生じないようになっている。なぜなら、“好適なシート巻取り力”に重きを置くことは、壁面の方向に働くシート長手端部の力が大きくなることを意味し、スクリーンシートが設置面にむしろ貼り付くように作用するからである。換言すれば、本発明では、スムーズな巻き取りの観点から“シート巻取り力”（ロール回転力）を大きくしたとしても、“カール”の発生なくシートを好適に展張保持できる。
【００４１】
別の観点でいえば、本発明のマグネットスクリーン装置は、ロール部材に巻かれていた時の“くせ”をスクリーンシートが有し、そのような“くせ”が大きい場合であっても、それは“カール”の発生防止に結果的に寄与するので、長期的な保存安定性に優れている。つまり、スクリーンシートを巻回した状態で長期に保存・保管したとしても、使用時にて“カール”の発生なくシートを好適に展張保持できる。そして、本発明のマグネットスクリーン装置では、そのように保存安定性に優れているにもかかわらず、大きいシート巻取力に起因して使用操作性が優れるといった効果が奏され得る（スムーズな巻き取りがもたらされ得る）。
【００４２】
（本発明のスクリーン装置の具現化態様）
次に、図８〜図１１を参照して、本発明のマグネットスクリーン装置のより具現化された態様について説明する。
【００４３】
本発明の一態様に係るマグネットスクリーン装置１００の外観および内部構成などを図８〜図１１に示す。図示されるマグネットスクリーン装置１００は可搬式の装置である。つまり、持ち運びできるスクリーン装置である。
【００４４】
図示される態様から分かるように、本発明のマグネットスクリーン装置１００では、スクリーンシート１０、ロール部材２０および長尺部材３０がケーシング４０内に収納されている。より具体的には、ロール部材２０に対して巻回保持されたスクリーンシート１０がケーシング４０の内部に収められており、かかる巻回状態のスクリーンシート１０に隣接して長尺部材３０も同様にケーシング４０内に収められている。ケーシング４０は、全体として長尺形態を有しており、図１０に示すように例えば２パーツ構成を有している。即ち、ケーシング４０が「第１サブ・ケーシング４０Ａ」と「第２サブ・ケーシング４０Ｂ」とから構成されている。
【００４５】
可搬式の装置ゆえ、ケーシング４０には取手部４１（例えば図８参照）が設けられている。即ち、使用者はかかる取手部４１を利用してスクリーン装置を持ち運びすることができる。また、取手部４１を利用してマグネットスクリーン装置１００を設置面（特に平面を成す垂直面）に設置することもできる。スクリーン装置の設置についていえば、ケーシング裏面４２（図８参照）が設置面に対して接するようにスクリーン装置１００を設ける。ケーシング裏面４２には、図８に示されるようなケーシング・マグネット４４が設けられているので、かかるマグネット４４の磁力を利用して装置全体を設置面に設けることができる。
【００４６】
ロール部材２０は、例えばスプリングロールなどであってよい。図示する態様から分かるように、かかるロール部材２０は、その端部がケーシングの内壁に取り付けられており、ロール部材２０の回転付勢力が好適に発現できるようになっている。
【００４７】
スクリーンシート１０は、特に図１１に示すように、表面側が投影面を成す一方、裏面側がマグネット面を成している。つまり、シート表面側に樹脂層１２が設けられている一方、シート裏面側にマグネット層１４が設けられている。スクリーンシート１０の短手端部には操作バー１５が設けられている。操作バー１５を利用することによって、スクリーンシート１０の巻き出し又は巻き取りを好適に行うことができる。
【００４８】
図示する態様（特に図９の断面図）から分かるように、長尺部材３０は、ケーシング４０の開口部４６に位置付けられている。より具体的にいえば、スクリーンシート１０の巻出し又は巻取りのためのケーシング開口部４６に長尺部材３０が位置付けられている。換言すれば、長尺部材３０の長手軸がスリット形状のケーシング開口部４６の長手軸と互いに整合するように、長尺部材３０がケーシング４０の開口部４６の内側に位置付けられている。このような構成によって、使用に際して巻き出される又は巻き取られるスクリーンシートが長尺部材３０によって局所的に抑え込まれることになる。
【００４９】
長尺部材３０は、金属製であってよく、好ましくは中空構造を有している（図１０参照）。中空構造を有する長尺部材の場合、長尺部材の軸方向（長手軸の方向）に中空部分３２が延在していることが好ましく、かかる中空部分３２が、ケーシングに取り付けられた突起具４８に位置付けられることが好ましい。換言すれば、突起具４８が中空部分３２に挿入された形態となるように、長尺部材３０が設けられることが好ましい。これによって、長尺部材３０が回転可能となる。かかる長尺部材３０は、巻き出される又は巻き取られるスクリーンシートとの摺動接触に起因して回転可能（特に、長尺部材の軸方向中心に回転可能）となっており、それによって、「設置面側に抑え込まれるスクリーンシート１０」に起因して長尺部材３０にもたらされ得る摩擦抵抗が減じられることになり、よりスムーズな巻き出し又は巻き取りが実現される。
【００５０】
（スクリーンの使用態様）
次に、図１２および図１３を参照して、本発明のマグネットスクリーン装置の使用態様について説明する。使用態様は『スクリーンシートを直接的に巻き出す態様』（図１２）と『ケーシングをスライド移動させる態様』（図１３）とに大きく分けることができる。
【００５１】
『スクリーンシートを直接的に巻き出す態様』では、図１２に示すように、マグネットスクリーン装置１００を設置面（磁石がその磁力により引っ付く面）に設けた後、操作バー１５をケーシング４０から引き離すように移動させる。より具体的には、操作バー１５に設けられたハンドル部１５Ａを掴み、スクリーンシート１０が巻き出される方向へと操作バー１５を移動させる。所望の長さ分のシートを巻き出したら操作バー１５を設置面上に配置する。操作バー１５の裏面にはマグネットが設けられているので、その磁力によって操作バー１５を設置面上に保持することができる。また、スクリーンシート１０の裏面はマグネット面を成すのでシートを展開した状態で設置面に保持できる。図示する態様から分かるように、本発明のマグネットスクリーン装置では、シート全体が端部（特に長手端部）にまでピンと張った形態でスクリーンシート１０を設置面に展張保持できる。
【００５２】
『ケーシングをスライド移動させる態様』では、図１３に示すように、マグネットスクリーン装置１００を設置面（磁石がその磁力により引っ付く面）に設けた後、操作バー１５を設置面に維持した状態でケーシング４０を移動させる。より具体的には、操作バー１５を、その磁力によって設置面に保持した状態で、ケーシング４０を設置面に沿ってスライド移動させることによってスクリーンシート１０の巻き出しを行う。特に、ケーシング４０にはローラー部材４９（図１３の他、図９および図１０など参照）が設けられており、かかるローラー部材４９の回転運動によって、ケーシング４０を設置面に沿って好適にスライド移動させることができる。所望の長さ分のシートを巻き出したらケーシング４０を設置面上に配置する。ケーシング裏面４２にはケーシング・マグネット（図８に示される“４４”の部材）が設けられているので、その磁力によってケーシング４０を設置面上に保持することができる。スクリーンシート１０の裏面はマグネット面を成すのでシートを展開した状態で設置面に保持できる。かかる使用態様であっても、シート全体が端部（特に長手端部）にまでピンと張った形態でスクリーンシート１０を設置面に展張保持できる。
【００５３】
以上、本発明の実施形態について説明してきたが、本発明の適用範囲における典型例を示したに過ぎない。従って、本発明は、上記の実施形態に限定されず、種々の変更がなされ得ることを当業者は容易に理解されよう。
【００５４】
例えば、特に図８〜図１１に示すスクリーン装置形態では、ロール部材がスプリングロールであることを前提としたが、本発明は必ずしもこれに限定されない。本発明におけるロール部材は電動式であってもよい。つまり、ロール部材の回転駆動が電動でなされることによってスクリーンシートの巻き出し又は巻き取りが行われる装置も本発明の範囲に含まれる。
【００５５】
また、特に図８〜図１１に示すスクリーン装置形態は、持ち運びできる可搬式の携帯型であることを前提としたが、本発明は必ずしもこれに限定されない。本発明のスクリーン装置は、壁面や天井面などに予め懸架または固定された据え置き型であってもよく、あるいは、自立式の床置き型などであってもよい。
【００５６】
更にいえば、特に図８〜図１１に示すスクリーン装置形態は、スクリーンシートのマグネット層がシート全面にわたって形成されている態様を前提としたが、本発明は必ずしもこれに限定されない。本発明のスクリーン装置は、展開されたスクリーンシートの長手端部に働く力が壁面（垂直平面）に向かう方向（壁面を押圧するような方向）となるので、かかる部分については特にマグネット層が存在していなくてもよい。つまり、本発明は、スクリーンシートにおいてマグネット層の領域を局所的に減じることが可能であり、より柔軟なシートおよび／またはより軽量なスクリーン装置の実現に寄与し得る。
【産業上の利用可能性】
【００５７】
本発明のマグネットスクリーン装置は、各種のプロジェクターから拡大投射される画像光が投影されるスクリーンとして利用できる。特に、本発明のマグネットスクリーン装置は、シート面を端部にまで均一に張った状態で展張保持できるので、短焦点で投影されるプロジェクター（即ち、「短焦プロジェクター」または「超短焦プロジェクター」）に用いられるスクリーンとして特に好適に利用することができる。
【符号の説明】
【００５８】
（本発明）
１０    スクリーンシート
１２    シートの樹脂層（スクリーンシートの投影面を成す層）
１４    シートのマグネット層（スクリーンシートのマグネット面を成す層）
１５    操作バー
１５Ａ  操作バーに設けられたハンドル部
２０    ロール部材
３０    長尺部材
４０    ケーシング
４０Ａ  ケーシングを構成する第１サブ・ケーシング
４０Ｂ  ケーシングを構成する第２サブ・ケーシング
４１    取手部
４２    ケーシングの裏面
４４    ケーシング・マグネット
４６    ケーシングの開口部
４８  ケーシングに取り付けられた突起具
４９  ローラー部材
１００  マグネットスクリーン装置
（従来技術）
１０’    従来技術のスクリーンシート
１２’    従来技術のシートの樹脂層（スクリーンシートの投影面を成す層）
１４’    従来技術のシートのマグネット層（スクリーンシートのマグネット面を成す層）
１００’  従来技術のマグネットスクリーン装置
【図１】
0006422800.tif 000002
【図２】
0006422800.tif 000003
【図３】
0006422800.tif 000004
【図４】
0006422800.tif 000005
【図５】
0006422800.tif 000006
【図６】
0006422800.tif 000007
【図７】
0006422800.tif 000008
【図８】
0006422800.tif 000009
【図９】
0006422800.tif 000010
【図１０】
0006422800.tif 000011
【図１１】
0006422800.tif 000012
【図１２】
0006422800.tif 000013
【図１３】
0006422800.tif 000014
【図１４】
0006422800.tif 000015
【図１５】
0006422800.tif 000016